(57)【要約】【課題】椅子の上等で、好みの角度の背もたれが得られる一方、寝る場合に、腰を前方にずらせた際、座席の端に当たる腰、尾テイ骨等が保護される用具に関するものである。【解決手段】円筒状の空気バッグ（１）を、椅子の座席の奥等に横にして置き、空気クッション（２）をその上に重ね、空気の入れ具合と重ね具合で、背もたれの角度を自由に調整して連結する一方、寝る場合は、空気マット（３）を敷き、腰、尾テイ骨等が座席の端に直接当たるのを防ぐ。【選択図】    図１
2004147748.tif 000002
【特許請求の範囲】
【請求項１】
（イ）  ビニール、ゴム等の素材を用いて作られた、円筒状の空気バッグ（１）および空気クッション（２）に、接着布等（４）を設け、両者を重ねて連結・分離できる構造とする。
（ロ）  （イ）のビニール、ゴム等の素材の表面に、体を接触させた際、通気性を持たせる、メッシュ状の布等を設ける。
（ハ）  空気バッグ（１）および空気クッション（２）に、空気弁（５）を設ける。
（ニ）  空気を入れた、空気バッグ（１）を椅子の背もたれと座席が交わる角等に横にして置き、その上に空気クッション（２）を重ね、重ねる角度と空気の入れ具合により、背もたれの角度を自由に調整し、連結する。
以上の如く構成された、自由背もたれ装置。
【請求項２】
（イ）  ビニール、ゴム等の素材を用いて作られた、空気マット（３）に接着布等（４）を設け、空気クッション（２）と連結・分離できる構造とする。
（ロ）  空気マット（３）の底に、すべり止めの布等を設ける。
（ハ）  空気マット（３）の一端を厚くし、空気が充填されたその厚い部分を、座席の手前端に密着しつつ、はみ出るように敷くことにより、体を横たえた際、座席の端に当たる腰、尾テイ骨等が前後に動くことなく、クッションで支えられる構造とする。
（ニ）  （イ）のビニール、ゴム等の素材の表面に、体を接触させた際、通気性を持たせる、メッシュ状の布等を設ける。
（ホ）  空気マット（３）に空気弁（５）を設ける。
以上の如く構成された、請求項１の自由背もたれ装置。
【発明の詳細な説明】
【０００１】
【発明の属する技術分野】
本発明は、円筒状とマット状の二つの空気袋を組み合わせ、椅子の上等で自由な背もたれの角度を得るほか、体を横たえた際、座席の端に当たる腰、尾テイ骨等をクッションで支える用具などに関する。
【０００２】
【従来の技術】
従来、
（イ）  椅子等の背もたれと座席が交わる角に置く、三角形状の、または同形状で長辺が円弧状に凹む、空気もしくはスポンジ入りの隅角用クッションはあった。
（ロ）  椅子等の背もたれと座席が交わる角に置く、山形膨出のうを裏側に付け、角を埋める構造とした、空気またはスポンジ入りのクッション兼座布団はあった。
（ハ）  柱状の反発弾性体による、自動車座席用腰当クッションはあった。
（ニ）  座席の背面及び座面に置く、いくつもの気室に別れ、それぞれを体に合わせて内量を変化できる、空気クッションはあった。
しかし、いずれも背もたれの角度が限られ、リクライニング機能が十分発揮されないほか、寝る場合に、腰を前方にずらせた際、腰、尾テイ骨等が椅子の端に直接当たるのを防ぐ機能はなかった。
【０００３】
【発明が解決しようとする課題】
本発明は、それらの欠点を除き、
１．  椅子の上等で、背もたれの角度を自由に調整できる、リクライニング機能が得られる。
２．  体の接触面に均一な加重がかかる。
３．  体を横たえたとき、腰、尾テイ骨等が座席の端に直接当たらない。
４．  長期間使用しても、椅子の表面等を傷めない。
５．  携帯に便利である。
以上の機能を具備する、自由背もたれ装置を開発しようとするものである。
【０００４】
【課題を解決するための手段】
いまその構成を説明すると、
（イ）  ビニール、ゴム等の素材を用いて作られた、円筒状の空気バッグ（１）および空気クッション（２）に、接着布等（４）を設け、両者を重ねて連結・分離できる構造とする。
（ロ）  （イ）のビニール、ゴム等の素材の表面に、体を接触させた際、通気性を持たせる、メッシュ状の布等を設ける。
（ハ）  空気バッグ（１）および空気クッション（２）に、空気弁（５）を設ける。
（ニ）  空気を入れた、空気バッグ（１）を椅子の背もたれと座席が交わる角等に横にして置き、その上に空気クッション（２）を重ね、重ねる角度と空気の入れ具合により、背もたれの角度を自由に調整し、連結する。
以上の如く構成された、自由背もたれ装置。
【０００５】
また、本発明は
（イ）  ビニール、ゴム等の素材を用いて作られた、空気マット（３）に、    接着布等（４）を設け、空気クッション（２）と連結・分離できる構造とする。
（ロ）  空気マット（３）の底にすべり止めを設ける。
（ハ）  空気マット（３）の一端を厚くし、空気が充填されたその厚い部分を、座席の手前端に密着しつつ、はみ出るように敷くことにより、体を横たえた際、座席の端に当たる腰、尾テイ骨等が前後に動くことなく、クッションで支えられる構造とする。
（ニ）  （イ）のビニール、ゴム等の素材の表面に、体を接触させた際、通気性を持たせる、メッシュ状の布等を設ける。
（ホ）  空気マット（３）に空気弁（５）を設ける。
以上の如く構成された、請求項１の自由背もたれ装置を提供するものである。
【０００６】
【発明の実施の形態】
次に本発明の実施の形態を述べると
（イ）  椅子に寄りかかる場合：空気を入れた、円筒状の空気バッグ（１）を、椅子の背もたれと座席が交わる角等に横にして置き、その上に空気クッション（２）を重ね、空気の入れ具合と重ね具合で、背もたれの角度を具合よく調整して連結し、その上に寄りかかる。
（ロ）  椅子の上で寝る場合：前の場合より空気を抜いて、体の沈み具合を調整する一方、空気マット（３）に空気を入れ、端の厚い部分を座席に密着させつつ、はみ出るように敷くと共に、空気クッション（２）と連結して前後にずれないようにセットし、その上に腰、尾テイ骨等を乗せ、寝る。
（ハ）  長椅子の上で横になる場合：空気バッグ（１）を長椅子の肘掛の下に横にして置き、その上に空気クッション（２）を重ね、重ねる角度と空気の入れ具合により、傾斜角度を自由に調整して連結し、その上に肩、首等を乗せる。
（ニ）  収納する場合は、全体の空気を抜き、巻くなどすればよい。
以上のように使用する。
そのほか、空気クッション（２）と空気マット（３）を組み合わせ、細長いマットとして利用するなどの方法もある。
また、空気バッグ（１）と空気マット（３）を組み合わせ、腰当として利用するなどの方法もある。
また、空気バッグ（１）を縦にして、椅子の肘掛の隅に置き寄りかかるなど、空気バッグ（１）、空気クッション（２）、空気マット（３）は単体として様々に利用できる。
また、空気の代わりに、ゲル状の物質等、自由変形する素材を用い、請求項１、請求項２に記載の用具の中を充填する方法もあり、同様の効果がある。
また、請求項１（イ）に記載の、円筒状には、断面が楕円形のもの、両端が山形に丸めてあるもの等、自由変形できる形状すべてが含まれる。
【０００７】
【発明の効果】
従って、
１．  椅子の背、壁面等、背中を支えるものがあれば、座席の上で好みの背もたれの角度が得られる。
２．  体の接触面を均等な空気圧で支えるため、疲れにくい。
３．  座席で寝る場合、腰、尾テイ骨等が、座席の端に直接当たらず、疲れにくい。
４．  長椅子の上で横になる場合、肩、首等が空気圧で支えられ、疲れにくい。
５．  使用する家具を傷めない。
６．  携帯に便利である。
【０００８】
【図面の簡単な説明】
【図１】本発明の２番目の組み合わせ斜視図
【図２】本発明の１番目の組み合わせ断面図
【図３】本発明の構成部分の斜視図
【図４】本発明の構成部分の斜視図
【図５】本発明の構成部分の斜視図
【図６】図１の使用断面図
【図７】本発明の他の組み合わせ斜視図
【図８】本発明の他の組み合わせ断面図
【符号の説明】
１は空気バッグ
２は空気クッション
３は空気マット
４は接着布
５は空気弁
【図１】
2004147748.tif 000003
【図２】
2004147748.tif 000004
【図３】
2004147748.tif 000005
【図４】
2004147748.tif 000006
【図５】
2004147748.tif 000007
【図６】
2004147748.tif 000008
【図７】
2004147748.tif 000009
【図８】
2004147748.tif 000010
【手続補正書】
【提出日】平成14年12月9日(2002.12.9)
【手続補正１】
【補正対象書類名】明細書
【補正対象項目名】請求項１
【補正方法】変更
【補正の内容】
【請求項１】
（イ）  円筒状の空気バッグ（１）および空気クッション（２）に、接着布（４）を設け、両者を重ねて連結・分離できる構造とする。
（ロ）  空気バッグ（１）および空気クッション（２）の表面に、体を接触させた際、通気性を持たせる、メッシュ状の布等を設ける。
（ハ）  空気バッグ（１）および空気クッション（２）に、空気弁（５）を設ける。
（ニ）  空気を入れた、空気バッグ（１）を椅子の背もたれと座席が交わる角等に沿って横にして置き、その上に空気クッション（２）を重ね、重ねる角度と空気の入れ具合により、背もたれの角度を自由に調整し、連結する。
以上の如く構成された、自由背もたれ装置。
【手続補正２】
【補正対象書類名】明細書
【補正対象項目名】請求項２
【補正方法】変更
【補正の内容】
【請求項２】
（イ）  空気マット（３）に接着布（４）を設け、空気クッション（２）と連結・分離できる構造とする。
（ロ）  空気マット（３）の底に、すべり止めの布を設ける。
（ハ）  空気マット（３）の一端を厚くし、空気が充填されたその厚い部分を、座席の手前端に密着させつつ、はみ出るように敷くことにより、体を横たえた際、座席の端に当たる腰、尾テイ骨等が前後に動くことなく、クッションで支えられる構造とする。
（ニ）  空気マット（３）の表面に、体を接触させた際、通気性を持たせる、メッシュ状の布等を設ける。
（ホ）  空気マット（３）に空気弁（５）を設ける。
以上の如く構成された、請求項１の自由背もたれ装置。
【手続補正３】
【補正対象書類名】明細書
【補正対象項目名】０００２
【補正方法】変更
【補正の内容】
【０００２】
【従来の技術】
従来、
（イ）  椅子等の背もたれと座席が交わる角に置く、三角形状の、または同形状で長辺が円弧状に凹む、空気もしくはスポンジ入りの隅角用クッションはあった。
（ロ）  椅子等の背もたれと座席が交わる角に置く、山形膨出のうを裏側に付け、角を埋める構造とした、空気またはスポンジ入りのクッション兼座布団はあった。
（ハ）  柱状の反発弾性体による、自動車座席用腰当クッションはあった。
（ニ）  座席の背面及び座面に置く、いくつもの気室に別れ、それぞれを体に合わせて内量を変化できる、空気クッションはあった。
しかし、いずれも背もたれの角度が限られ、リクライニング機能が十分発揮されないほか、寝る場合に、腰を前方にずらせた際、腰、尾テイ骨等が座席の端に直接当たるのを防ぐ機能はなかった。


【手続補正４】
【補正対象書類名】明細書
【補正対象項目名】０００３
【補正方法】変更
【補正の内容】
【０００３】
【発明が解決しようとする課題】
本発明は、それらの欠点を除き、
１．  椅子の上等で、背もたれの角度を自由に調整できる、リクライニング機能が得られる。
２．  体を横たえたとき、腰、尾テイ骨等が座席の端に直接当たらない。
以上の機能を具備する、自由背もたれ装置を開発しようとするものである。


【手続補正５】
【補正対象書類名】明細書
【補正対象項目名】０００４
【補正方法】変更
【補正の内容】
【０００４】
【課題を解決するための手段】
いまその構成を説明すると、
（イ）  円筒状の空気バッグ（１）および空気クッション（２）に、接着布（４）を設け、両者を重ねて連結・分離できる構造とする。
（ロ）  空気バッグ（１）および空気クッション（２）の表面に、体を接触させた際、通気性を持たせる、メッシュ状の布等を設ける。
（ハ）  空気バッグ（１）および空気クッション（２）に、空気弁（５）を設ける。
（ニ）  空気を入れた、空気バッグ（１）を椅子の背もたれと座席が交わる角等に沿って横にして置き、その上に空気クッション（２）を重ね、重ねる角度と空気の入れ具合により、背もたれの角度を自由に調整し、連結する。
以上の如く構成された、自由背もたれ装置。


【手続補正６】
【補正対象書類名】明細書
【補正対象項目名】０００５
【補正方法】変更
【補正の内容】
【０００５】
また、本発明は
（イ）  空気マット（３）に、接着布（４）を設け、空気クッション（２）と連結・分離できる構造とする。
（ロ）  空気マット（３）の底にすべり止めを設ける。
（ハ）  空気マット（３）の一端を厚くし、空気が充填されたその厚い部分を、座席の手前端に密着させつつ、はみ出るように敷くことにより、体を横たえた際、座席の端に当たる腰、尾テイ骨等が前後に動くことなく、クッションで支えられる構造とする。
（ニ）  空気マット（３）の表面に、体を接触させた際、通気性を持たせる、メッシュ状の布等を設ける。
（ホ）  空気マット（３）に空気弁（５）を設ける。
以上の如く構成された、請求項１の自由背もたれ装置を提供するものである。


【手続補正７】
【補正対象書類名】明細書
【補正対象項目名】０００６
【補正方法】変更
【補正の内容】
【０００６】
【発明の実施の形態】
次に本発明の実施の形態を述べると
（イ）  椅子に寄りかかる場合：空気を入れた、円筒状の空気バッグ（１）を、椅子の背もたれと座席が交わる角に沿って横にして置き、その上に空気クッション（２）を重ね、空気の入れ具合と重ね具合で、背もたれの角度を具合よく調整して連結し、その上に寄りかかる。その結果、円筒状の空気バッグ（１）が、断面が円形であるため、接する面の形状に即して変形し、まず大きな空間部分を埋める。その上に、空気クッション（２）が重ねられることで、背中にかかる体重が広い面積で、空気圧により均等に支えられる。また、体に接する面にメッシュ状の布等が設けられていることで、長時間使用しても、接触面が蒸れるのを防ぐことができる。
（ロ）  椅子の上で寝る場合：（イ）の場合より重ねる角度を倒し、空気を抜いて、体の沈み具合を調整する。さらに空気マット（３）に空気を充填し、すべり止めの布が座席に接する状態で、端の厚い部分を座席の手前端に密着させつつ、はみ出るように敷くと共に、空気クッション（２）と連結して前後にずれないようにセットし、その上に腰、尾テイ骨等を乗せ、寝る。これにより、腰、尾テイ骨等が直接座席の端に当たることなく、体を倒した状態で、（イ）と同様の結果が得られる。
（ハ）  長椅子の上で横になる場合：空気バッグ（１）を長椅子の肘掛の下に沿って横にして置き、その上に空気クッション（２）を重ね、重ねる角度と空気の入れ具合により、傾斜角度を自由に調整して連結し、その上に肩、首等を乗せる。その結果、円筒状の空気バッグ（１）が、断面が円形であるため、接する面の形状に即して変形し、まず大きな空間部分を埋める。その上に、空気クッション（２）が重ねられることで、肩、首等にかかる重量が広い面積で、空気圧により均等に支えられる。また、体に接する面にメッシュ状の布等が設けられていることで、長時間使用しても、接触面が蒸れるのを防ぐことができる。
（ニ）  収納する場合は、全体の空気を抜き、巻くなどすればよい。
以上のように使用する。
そのほか、空気クッション（２）と空気マット（３）を組み合わせ、細長いマットとして利用するなどの方法もある。
また、空気バッグ（１）と空気マット（３）を組み合わせ、腰当として利用するなどの方法もある。
また、空気バッグ（１）を縦にして、椅子の肘掛の隅に置き寄りかかるなど、空気バッグ（１）、空気クッション（２）、空気マット（３）は単体として様々に利用できる。
また、空気の代わりに、ゲル状の物質等、自由変形する素材を用い、空気バッグ（１）、空気クッション（２）、空気マット（３）の中を充填する方法もあり、同様の効果がある。
また、請求項１（イ）に記載の、円筒状には、断面が楕円形のもの、両端が山形に丸めてあるもの等、自由変形できる形状すべてが含まれる。


【手続補正８】
【補正対象書類名】明細書
【補正対象項目名】０００７
【補正方法】変更
【補正の内容】
【０００７】
【発明の効果】
従って、
１．椅子の背、壁面等、背中を支えるものがあれば、座席の上で好みの背もたれの角度が得られる。
２．体の広い接触面を均等な空気圧で支えるため、疲れにくい。
３．座席で寝る場合、腰、尾テイ骨等が、座席の端に直接当たらず、疲れにくい。
４．長椅子の上で横になる場合、広い接触面で肩、首等が空気圧で支えられ、疲れにくい。
５．使用する家具を傷めない。
６．携帯に便利である。
７．長時間使用しても、体の接触面が蒸れにくい。
【手続補正書】
【提出日】平成15年3月24日(2003.3.24)
【手続補正１】
【補正対象書類名】明細書
【補正対象項目名】請求項１
【補正方法】変更
【補正の内容】
【請求項１】
円筒状の空気バッグ（１）および空気クッション（２）に、接着布（４）を設け、両者を重ねて連結・分離可能とした、自由背もたれ装置。
【手続補正２】
【補正対象書類名】明細書
【補正対象項目名】請求項２
【補正方法】変更
【補正の内容】
【請求項２】
前端に下向きの凸部を設けた空気マット（３）に、接着布（４）を設け、空気クッション（２）と連結・分離可能とした請求項１の自由背もたれ装置。
【手続補正３】
【補正対象書類名】明細書
【補正対象項目名】０００６
【補正方法】変更
【補正の内容】
【０００６】
【発明の実施の形態】
次に本発明の実施の形態を述べると
（イ）  椅子に寄りかかる場合：空気を入れた、円筒状の空気バッグ（１）を、椅子の背もたれと座席が交わる角に沿って横にして置き、その上に空気クッション（２）を重ね、空気の入れ具合と重ね具合で、背もたれの角度を具合よく調整して連結し、その上に寄りかかる。その結果、円筒状の空気バッグ（１）が、断面が円形であるため、接する面の形状に即して変形し、まず大きな空間部分を埋める。その上に、空気クッション（２）が重ねられることで、背中にかかる体重が広い面積で、空気圧により均等に支えられる。
（ロ）  椅子の上で寝る場合：（イ）の場合より重ねる角度を倒し、空気を抜いて、体の沈み具合を調整する。さらに空気マット（３）に空気を充填し、端の厚い部分を座席の手前端に密着させつつ、はみ出るように敷くと共に、空気クッション（２）と連結して前後にずれないようにセットし、その上に腰、尾テイ骨等を乗せ、寝る。これにより、腰、尾テイ骨等が直接座席の端に当たることなく、体を倒した状態で、（イ）と同様の結果が得られる。
（ハ）  長椅子の上で横になる場合：空気バッグ（１）を長椅子の肘掛の下に沿って横にして置き、その上に空気クッション（２）を重ね、重ねる角度と空気の入れ具合により、傾斜角度を自由に調整して連結し、その上に肩、首等を乗せる。その結果、円筒状の空気バッグ（１）が、断面が円形であるため、接する面の形状に即して変形し、まず大きな空間部分を埋める。その上に、空気クッション（２）が重ねられることで、肩、首等にかかる重量が広い面積で、空気圧により均等に支えられる。
（ニ）  収納する場合は、全体の空気を抜き、巻くなどすればよい。
以上のように使用する。
そのほか、空気クッション（２）と空気マット（３）を組み合わせ、細長いマットとして利用するなどの方法もある。
また、空気バッグ（１）と空気マット（３）を組み合わせ、腰当として利用するなどの方法もある。
また、空気バッグ（１）を縦にして、椅子の肘掛の隅に置き寄りかかるなど、空気バッグ（１）、空気クッション（２）、空気マット（３）は単体として様々に利用できる。
また、空気の代わりに、ゲル状の物質等、自由変形する素材を用い、空気バッグ（１）、空気クッション（２）、空気マット（３）の中を充填する方法もあり、同様の効果がある。
また、請求項１（イ）に記載の、円筒状には、断面が楕円形のもの、両端が山形に丸めてあるもの等、自由変形できる形状すべてが含まれる。


【手続補正４】
【補正対象書類名】明細書
【補正対象項目名】０００７
【補正方法】変更
【補正の内容】
【０００７】
【発明の効果】
従って、
１．椅子の背、壁面等、背中を支えるものがあれば、座席の上で好みの背もたれの角度が得られる。
２．体の広い接触面を均等な空気圧で支えるため、疲れにくい。
３．座席で寝る場合、腰、尾テイ骨等が、座席の端に直接当たらず、疲れにくい。
４．長椅子の上で横になる場合、広い接触面で肩、首等が空気圧で支えられ、疲れにくい。
５．使用する家具を傷めない。
６．携帯に便利である。




【手続補正書】
【提出日】平成15年7月11日(2003.7.11)
【手続補正１】
【補正対象書類名】明細書
【補正対象項目名】０００６
【補正方法】変更
【補正の内容】
【０００６】
【発明の実施の形態】
次に本発明の実施の形態を述べると
（イ）  椅子に寄りかかる場合：空気を入れた、円筒状の空気バッグ（１）を、椅子の背もたれと座席が交わる角に沿って横にして置き、その上に空気クッション（２）を重ね、空気の入れ具合と重ね具合で、背もたれの角度を具合よく調整して連結し、その上に寄りかかる。その結果、円筒状の空気バッグ（１）が、断面が円形であるため、接する面の形状に即して変形し、まず大きな空間部分を埋める。その上に、空気クッション（２）が重ねられることで、背中にかかる体重が広い面積で、空気圧により均等に支えられる。
（ロ）  椅子の上で寝る場合：（イ）の場合より重ねる角度を倒し、空気を抜いて、体の沈み具合を調整する。さらに空気マット（３）に空気を充填し、端の厚い部分を座席の手前端に密着させつつ、はみ出るように敷くと共に、空気クッション（２）と連結して前後にずれないようにセットし、その上に腰、尾テイ骨等を乗せ、寝る。これにより、腰、尾テイ骨等が直接座席の端に当たることなく、体を倒した状態で、（イ）と同様の結果が得られる。
（ハ）  長椅子の上で横になる場合：空気バッグ（１）を長椅子の肘掛の下に沿って横にして置き、その上に空気クッション（２）を重ね、重ねる角度と空気の入れ具合により、傾斜角度を自由に調整して連結し、その上に肩、首等を乗せる。その結果、円筒状の空気バッグ（１）が、断面が円形であるため、接する面の形状に即して変形し、まず大きな空間部分を埋める。その上に、空気クッション（２）が重ねられることで、肩、首等にかかる重量が広い面積で、空気圧により均等に支えられる。
（ニ）  収納する場合は、全体の空気を抜き、巻くなどすればよい。
以上のように使用する。
そのほか、空気クッション（２）と空気マット（３）を組み合わせ、細長いマットとして利用するなどの方法もある。
また、空気バッグ（１）と空気マット（３）を組み合わせ、腰当として利用するなどの方法もある。
また、空気バッグ（１）を縦にして、椅子の肘掛の隅に置き寄りかかるなど、空気バッグ（１）、空気クッション（２）、空気マット（３）は単体として様々に利用できる。
また、空気の代わりに、ゲル状の物質等、自由変形する素材を用い、空気バッグ（１）、空気クッション（２）、空気マット（３）の中を充填する方法もあり、同様の効果がある。
また、請求項１に記載の、円筒状には、断面が楕円形のもの、両端が山形に丸めてあるもの等、自由変形できる形状すべてが含まれる。




【手続補正書】
【提出日】平成15年10月1日(2003.10.1)
【手続補正１】
【補正対象書類名】明細書
【補正対象項目名】特許請求の範囲
【補正方法】変更
【補正の内容】
【特許請求の範囲】
【請求項１】
円筒状の空気バッグ（１）および空気クッション（２）に、接着布（４）を設け、両者を重ねて連結・分離可能とすると共に、前端に下向きの凸部を設けた空気マット（３）に、接着布（４）を設け、空気バッグ（１）を間に挟む形で、空気クッション（２）を連結・分離可能とした、自由背もたれ装置。